(57)【要約】【課題】結露を滴下させることなく一定方向に誘導し、簡単に捕集することが可能なレンジフードを提供する。【解決手段】調理設備の上方に設置され、フード本体２と該フード本体２の背面側上部に設けられた吸引ファン３と上記吸引ファン３から滴下する油を受ける油受けトレイ４とを備えたレンジフードＡであって、上記フード本体２の吸気空間にプレート１を後ろ下がりに傾斜して配設するとともに、該プレート１下面の傾斜面を伝って流れる結露を上記油受けトレイ４の上方に誘導する誘導手段を備え、結露を上記油とともに捕集することを特徴とする。【選択図】図１
2006038269.tif 000002
【特許請求の範囲】
【請求項１】
調理設備の上方に設置され、フード本体と該フード本体の背面側上部に設けられた吸引ファンと上記吸引ファンから滴下する油を受ける油受けトレイとを備えたレンジフードであって、上記フード本体の吸気空間にプレートを後ろ下がりに傾斜して配設するとともに、該プレート下面の傾斜面を伝って流れる結露を上記油受けトレイの上方に誘導する誘導手段を備え、結露を上記油とともに捕集することを特徴とするレンジフード。
【請求項２】
上記プレートが整流板であり、該整流板の壁側に結露を誘導するための段部が左右に設けられるとともに、上記左右段部の突き合わせ部が上記油受けトレイの上方に位置する請求項１に記載のレンジフード。
【請求項３】
上記プレートがフード本体に一体的に組み付けられる化粧パネルであり、該化粧パネルには結露が誘導される複数の傾斜面が設けられるとともに、該化粧パネルの各端辺には吸気用の長孔が設けられ、上記複数の傾斜面が収束して形成された膨出部が上記油受けトレイの上方に位置する請求項１に記載のレンジフード。
【請求項４】
上記油受けトレイが吸引ファンのケーシングの下方に設けられるとともに、着脱自在とされた請求項１に記載のレンジフード。
【発明の詳細な説明】
【技術分野】
【０００１】
本発明は、レンジフードに関する。さらに詳しくは、レンジフード内に生成した結露を調理設備の上に滴下させることなく一定方向に誘導し、捕集することのできるレンジフードの構造に関する。
【背景技術】
【０００２】
レンジフードを上方に備えたガスレンジ等を用いて調理するとき、発生した湯気、油分等は、通常、壁面に固定されたレンジフード本体の背面、かつ、上方に設けられた排気ファンに吸引されて外部に排出される。近年、図５に示すように、ケーシング３１に設けられた排気ファン３によって生じた気流を流速を上げて効率よく吸引できるように、整流板７を配設して吸気流路７１を形成するとともに、この整流板７を後ろ下がりに傾斜させ、フード本体８の吸気空間に配設したレンジフードＣが普及している。
【特許文献１】特開２００１−１３３００３号公報（第１−５頁、第１図）
【発明の開示】
【発明が解決しようとする課題】
【０００３】
上記レンジフードＣにおいては、空気は点線で示す流路に沿って流れるが、湯気は整流板７に直接接触して結露し、結露が成長するとともに、整流板７の下面の傾斜面に沿って矢印で示すように伝い落ちる。その結果、整流板７の後縁部の幅方向全体から、ガスレンジ等の調理設備やナベ等の調理器具の上に水滴が滴下するという問題が生じる。本発明は、このような問題を解決して、上記結露を滴下させることなく一定方向に誘導し、排気ファンから滴下する油を受ける既設の油受けトレイを利用して、簡単に捕集することのできるレンジフードを提供することを、その課題とする。
【課題を解決するための手段】
【０００４】
上記課題を解決するために、本発明においては、つぎのような技術的手段を講じている。すなわち、本発明によれば、調理設備の上方に設置され、フード本体と該フード本体の背面側上部に設けられた吸引ファンと上記吸引ファンから滴下する油を受ける油受けトレイとを備えたレンジフードであって、上記フード本体の吸気空間にプレートを後ろ下がりに傾斜して配設するとともに、該プレート下面の傾斜面を伝って流れる結露を上記油受けトレイの上方に誘導する誘導手段を備え、結露を上記油とともに捕集することを特徴とするレンジフードが提供される。
【０００５】
上記プレートが整流板であり、該整流板の後ろ側に結露を誘導するための段部が左右に設けられるとともに、上記左右段部の突き合わせ部が上記油受けトレイの上方に位置するようにされることが好ましい。このとき、左右段部は裾が狭くなるようにハの字型に配設される。
【０００６】
上記プレートがフード本体に一体的に組み付けられる化粧パネルであり、該化粧パネルには結露が誘導される複数の傾斜面が設けられるとともに、各端辺には吸気用の長孔が設けられ、上記複数の傾斜面が収束する膨出部が上記油受けトレイの上方に位置するようにされることが好ましい。結露は上記傾斜面に加え、隣り合う傾斜面によって形成される稜線や長孔の開口縁等によっても誘導されて上記膨出部に至り、水滴となって滴下する。
【０００７】
上記油受けトレイが吸引ファンのケーシングの下方に設けられるとともに、着脱自在とされることが好ましい。着脱自在とする方法はとくに限定されず、油受けトレイに溜まった油と水が一定量を越えれば油受けトレイを容易に取り外せる構造とされる。
【発明の効果】
【０００８】
請求項１に記載の発明は上記のとおりであり、調理設備の上方を覆うプレートに湯気が接触して生成した結露を吸引ファンから滴下する油を受ける油受けトレイの上方に誘導し、油とともに捕集するため、プレートの後縁部の幅方向全体から滴下する水滴を受けるための水受け手段を別途設けることなく、既設の油受けトレイを利用して簡単に捕集することができる。
【０００９】
上記プレートを整流板とするとともに、該整流板の壁側に結露を誘導するための段部が左右に設けられ、上記左右段部の突き合わせ部が上記油受けトレイの上方に位置するようにされているため、既設の整流板に段部を設けることにより簡単に結露を誘導し、捕集することができる。
【００１０】
上記プレートが複数の傾斜面を有し、かつ、フード本体に一体的に組み付けられる化粧パネルであるため、レンジフードの内部を目隠ししてデザイン性を高めるとともに、結露は上記複数の傾斜面が収束して形成された膨出部に誘導され、スムースに下方の油受けトレイに滴下される。
【００１１】
上記油受けトレイが吸引ファンのケーシングの下方に設けられるとともに、着脱自在とされているため、吸引ファンおよびそのケーシングから滴下する油を受ける既設の油受けトレイを、結露を受けるための水受け手段としても用いることができる。
【発明を実施するための最良の形態】
【００１２】
以下、本発明の実施形態について図面を参照して、詳細に説明する。図１は、本発明の第一実施形態にかかるレンジフードＡの要部を示す側断面図であり、図２は、上記レンジフードＡの下面図を示す。図１において、調理設備の上方で図示しない壁に接して設置されるレンジフードＡは、フード本体２の背面側上部に吸引ファン３を備え、上記フード本体２の下部の吸気空間には、整流板１が調理設備の前から見て後ろ下がりに傾斜して配設されている。一方、空気と同伴した油は吸引ファン３または、そのケーシング３１に付着して垂れ、着脱自在に取り付けられた油受けトレイ４に滴下し、捕集される。
【００１３】
排気ファン３の稼働によって吸引された空気は点線に沿って吸気流路１１を経由して排気されるが、調理の際に発生した湯気は整流板１に接触し、冷却されて結露する。このようにして発生した結露は、実線で示す矢印に沿って整流板１の下面の傾斜に沿って壁側に流れるとともに、整流板１の後ろ側に設けられた左右段部１２によってせき止められ、誘導される。図２からよくわかるように、結露は矢印に沿って伝わり、ハの字型に裾が狭くなるように設けられた左右段部１２によって誘導され、油受けトレイ４に滴下し、上記滴下した油とともに捕集される。なお、図２における符号９は照明用ライトを示す。
【００１４】
図３は本発明の第二実施形態にかかるレンジフードＢの要部を示す側断面図である。図４は上記レンジフードＢの下面斜視図を示す。図３、図４からよくわかるように、本実施形態においては、吸気用の長孔５１が各端辺に設けられた化粧パネル５がフード本体６に一体的に組み付けられるとともに、上記化粧パネル５には複数の傾斜面５２が設けられている。排気ファン３の稼働によって吸引された空気は、点線に沿って吸気用の長孔５１を経由して排気されるが、調理の際に発生した湯気は化粧パネル５に接触し、冷却されて結露する。
【００１５】
図４からよくわかるように、結露は複数の傾斜面５２に沿って流れるとともに、隣り合う傾斜面５２によって形成された稜線５４をも伝わって流れ、長孔５１の開口縁に沿っても流れる。図３、図４からよくわかるように、複数の傾斜面５２が収束して形成された膨出部５３は油受けトレイ４の上方に位置するため、上記のようにして膨出部５３に誘導された結露は油受けトレイ４に滴下し、油とともに捕集される。なお、図４における符号９は照明用ライトを示す。以上述べたように、本発明にかかるレンジフードを用いることにより、既設の油受けトレイを利用してレンジフード内に生成した結露を簡単に捕集することができる。
【図面の簡単な説明】
【００１６】
【図１】本発明の第一実施形態にかかるレンジフードの要部を示す側断面図である。
【図２】上記レンジフードの下面図である。
【図３】本発明の第二実施形態にかかるレンジフードの要部を示す側断面図である。
【図４】上記レンジフードの下面斜視図である。
【図５】公知のレンジフードの要部を示す側断面図である。
【符号の説明】
【００１７】
Ａ          第一実施形態にかかるレンジフード
１          整流板
１１        吸気流路
１２        段部
２          フード本体
３          吸引ファン
３１        ケーシング
４          油受けトレイ
９          照明用ライト
Ｂ          第二実施形態にかかるレンジフード
５          化粧パネル
５１        長孔
５２        傾斜面
５３        膨出部
５４        稜線
６          フード本体
Ｃ          公知のレンジフード
７          整流板
７１        吸気流路
８          フード本体
【図１】
2006038269.tif 000003
【図２】
2006038269.tif 000004
【図３】
2006038269.tif 000005
【図４】
2006038269.tif 000006
【図５】
2006038269.tif 000007